(57)【要約】【課題】画像データに基づく画像形成において、画像形成における再現性を確保することができる画像形成装置、画像処理方法、及び画像形成方法を提供する。【解決手段】画像形成に係るパラメータの値を示す値情報を、該画像形成すべき画像データに付し、該画像データと共に該値情報が画像形成されることにより、当該画像形成に係るパラメータの値を記録として残され、以後、使用者の必要に応じて当該値情報が取得され、取得された値情報を用いた画像形成が行われる。【選択図】図４
2013223147.tif 000002
【特許請求の範囲】
【請求項１】
画像データに基づいて画像形成を行う画像形成装置において、
画像形成に係るパラメータの値を示す値情報を、該画像形成すべき画像データに付する情報付加手段を備えることを特徴とする画像形成装置。
【請求項２】
前記値情報に対応する２次元コードを形成するコード画像データを生成する生成手段を備え、
前記情報付加手段は、前記コード画像データを前記画像データに付するように構成されていることを特徴とする請求項１に記載の画像形成装置。
【請求項３】
前記コード画像データ及び／又は前記画像データに基づく画像をシート状の記録媒体に形成する画像形成手段を備えることを特徴とする請求項２に記載の画像形成装置。
【請求項４】
前記記録媒体における、前記コード画像データに基づく画像を形成すべき位置の選択を受け付ける位置受付手段を備え、
該位置受付手段が受け付けた選択に基づき、前記画像形成手段が画像を形成するように構成されていることを特徴とする請求項３に記載の画像形成装置。
【請求項５】
前記画像形成に係る複数のジョブの中、前記値情報の付加を実行すべきジョブの選択を受け付けるジョブ受付手段を備えることを特徴とする請求項１から４の何れかに記載の画像形成装置。
【請求項６】
画像形成に係るパラメータの値を表す２次元コードの画像データが付された原稿の画像データに基づいて画像形成を行なう画像形成装置において、
前記２次元コードの画像データを読み取る読取手段と、
前記２次元コードの画像データから前記パラメータの値を示す値情報を抽出する抽出手段とを備え、
該抽出手段によって抽出された値情報を用いて、前記原稿の画像データに基づく画像形成を行なうように構成されていることを特徴とする画像形成装置。
【請求項７】
画像形成すべき画像データの処理を行う画像処理方法において、
画像形成に係るパラメータの値を表す２次元コードを形成するコード画像データを生成するステップと、
前記コード画像データを前記画像データに付するステップと
を含むことを特徴とする画像処理方法。
【請求項８】
画像形成に係るパラメータの値を表す２次元コードの画像データが付された原稿の画像データに基づいて画像形成を行なう画像形成方法において、
前記２次元コードの画像データから前記パラメータの値を示す値情報を抽出するステップと、
抽出された値情報を用いて、前記原稿の画像データに基づく画像形成を行なうステップと
を含むことを特徴とする画像形成方法。
【発明の詳細な説明】
【技術分野】
【０００１】
本発明は、画像データに基づく画像形成に係る、画像形成装置、画像処理方法及び画像形成方法に関する。
【背景技術】
【０００２】
近年、公共施設又はコンビニエンスストア等には、プリンタ、複合機等の装置が設置されており、使用者は、所定の料金を支払って、前記装置を使用することが出来る。
【０００３】
このような装置に関し、例えば、特許文献１においては、画像の位置精度に対する要求は、画像形成後の原稿の用途によって異なるため、位置精度よりも処理速度を優先する場合があったことに対し、位置ズレが予め設定された基準値を超えたときのみ位置ズレを補正し、しかも、原稿の用途に応じて、該基準値を手動で変更可能にし、また検出された位置ズレ量が該基準値よりも大きい場合にのみ補正するとともに、該基準値を任意に変更可能にした画像形成装置が開示されている。また、該画像形成装置は、位置ズレ量の基準値をサービスマンが調整可能にすることで、基準値を適切な使用者要求レベルに合致させるように構成されている。
【先行技術文献】
【特許文献】
【０００４】
【特許文献１】特開２００６−６９７３８号公報
【発明の概要】
【発明が解決しようとする課題】
【０００５】
ところで、上述した複合機のような画像形成装置は複数の使用者によって使用されるものであり、使用者別に画質の好みが異なることから、他人によって画質が調整された後に当該画像形成装置を使用する場合には、画質の好みが合わない事が生じうる。しかし、カラーバランスのような画質の調整は専門知識、経験等を必要とする場合が多く、一般使用者とっては、一旦変更されてしまった画質を自分の好みに合わせて設定することは難しい。
【０００６】
仮に、画質の調整が可能であるとしても、他人によって変更された画質を自分の好みに合わせて設定するためには、予め画質に係るパラメータの設定値を記憶しておくか、又は設定値を適当に変えながらその都度印刷物の画質を確認する作業を繰り返して行なう必要があり、多大の時間及び資材の浪費となる。
【０００７】
しかしながら、上述した特許文献１の画像形成装置では、このような問題に対して工夫されておらず、斯かる問題を解決できない。
【０００８】
本発明は、斯かる事情に鑑みてなされたものであり、その目的とするところは、画像データに基づく画像形成において、画像形成に係るパラメータの値を示す値情報を、該画像形成すべき画像データに付し、該画像データと共に該値情報が画像形成されることにより、当該画像形成に係るパラメータの値を記録として残しておき、以後、使用者の必要に応じて当該値情報を取得し、取得された値情報を用いた画像形成ができるので、画像形成における再現性を確保することができる画像形成装置、画像処理方法、及び画像形成方法を提供することにある。
【課題を解決するための手段】
【０００９】
本発明に係る画像形成装置は、画像データに基づいて画像形成を行う画像形成装置において、画像形成に係るパラメータの値を示す値情報を、該画像形成すべき画像データに付する情報付加手段を備えることを特徴とする。
【００１０】
本発明にあっては、前記情報付加手段が、画像形成に係るパラメータの値を示す値情報を、該画像形成すべき画像データに付し、このように、前記値情報が付された画像データに基づいて画像形成が行なわれる。
【００１１】
本発明に係る画像形成装置は、前記値情報に対応する２次元コードを形成するコード画像データを生成する生成手段を備え、前記情報付加手段は、前記コード画像データを前記画像データに付するように構成されていることを特徴とする。
【００１２】
本発明にあっては、前記生成手段は前記コード画像データを生成し、前記情報付加手段は、前記生成手段によって生成されたコード画像データを前記画像データに付する。このように、前記コード画像データが付された画像データに基づいて画像形成が行なわれる。
【００１３】
本発明に係る画像形成装置は、前記コード画像データ及び／又は前記画像データに基づく画像をシート状の記録媒体に形成する画像形成手段を備えることを特徴とする。
【００１４】
本発明にあっては、前記画像形成手段が、前記コード画像データ若しくは画像形成すべき画像データの夫々に基づく画像、又は前記コード画像データ及び画像データに基づく画像をシート状の記録媒体に形成する。
【００１５】
本発明に係る画像形成装置は、前記記録媒体における、前記コード画像データに基づく画像を形成すべき位置の選択を受け付ける位置受付手段を備え、該位置受付手段が受け付けた選択に基づき、前記画像形成手段が画像を形成するように構成されていることを特徴とする。
【００１６】
本発明にあっては、前記位置受付手段が、前記記録媒体における、前記コード画像データに基づく画像を形成すべき位置の選択を受け付け、該選択に係る位置に、前記画像形成手段が該コード画像データに基づく画像を形成する。
【００１７】
本発明に係る画像形成装置は、前記画像形成に係る複数のジョブの中、前記値情報の付加を実行すべきジョブの選択を受け付けるジョブ受付手段を備えることを特徴とする。
【００１８】
本発明にあっては、前記ジョブ受付手段が、例えば、印刷、コピー等画像形成に係る複数のジョブの中、前記値情報の付加を実行すべき何れかのジョブの選択を受け付け、該選択に係るジョブの実行の際、前記画像形成手段が当該コード画像データに基づく画像を形成する。
【００１９】
本発明に係る画像形成装置は、画像形成に係るパラメータの値を表す２次元コードの画像データが付された原稿の画像データに基づいて画像形成を行なう画像形成装置において、前記２次元コードの画像データを読み取る読取手段と、前記２次元コードの画像データから前記パラメータの値を示す値情報を抽出する抽出手段とを備え、該抽出手段によって抽出された値情報を用いて、前記原稿の画像データに基づく画像形成を行なうように構成されていることを特徴とする。
【００２０】
本発明にあっては、前記読取手段が前記原稿から２次元コードの画像データを読み取り、前記抽出手段が該２次元コードの画像データから前記パラメータの値を示す値情報を抽出し、該抽出手段によって抽出された値情報を用いて、前記原稿の画像データに基づく画像形成が行なわれる。
【００２１】
本発明に係る画像処理方法は、画像形成すべき画像データの処理を行う画像処理方法において、画像形成に係るパラメータの値を表す２次元コードを形成するコード画像データを生成するステップと、前記コード画像データを前記画像データに付するステップとを含むことを特徴とする。
【００２２】
本発明にあっては、前記コード画像データが生成され、生成されたコード画像データは画像形成すべき画像データに付される。このように、前記コード画像データが付された画像データに基づいて画像形成が行なわれる。
【００２３】
本発明に係る画像形成方法は、画像形成に係るパラメータの値を表す２次元コードの画像データが付された原稿の画像データに基づいて画像形成を行なう画像形成方法において、前記２次元コードの画像データから前記パラメータの値を示す値情報を抽出するステップと、抽出された値情報を用いて、前記原稿の画像データに基づく画像形成を行なうステップとを含むことを特徴とする。
【００２４】
本発明にあっては、前記原稿から２次元コードの画像データが読み取られ、該２次元コードの画像データから前記パラメータの値を示す値情報が抽出される。また、抽出された値情報を用いて、前記原稿の画像データに基づく画像形成が行なわれる。
【発明の効果】
【００２５】
本発明によれば、当該画像形成に係るパラメータの値を記録として、例えばシート状の記録媒体に残しておくので、以後、使用者は必要に応じて当該記録媒体から該値情報を取得し、取得された値情報を用いた画像形成を実行できるので、画像形成における再現性を確保することができる。
【図面の簡単な説明】
【００２６】
【図１】本発明の実施の形態１に係る複合機の要部構成を示す機能ブロック図である。
【図２】本発明の実施の形態１に係る複合機における、制御部の要部構成を示す機能ブロック図である。
【図３】本発明の実施の形態１に係る複合機において、表示部に表示される選択受付画面の一例を示す例示図である。
【図４】本発明の実施の形態１に係る複合機において、ＱＲコード画像データを生成し、また生成されたＱＲコード画像データを原稿画像データに付加する処理の一例を示すフローチャートである。
【図５】コード付き画像データに基づき、画像出力部によって印刷された印刷物の一例を示す例示図である。
【図６】コード付き画像データに基づき、画像出力部によって印刷された印刷物の他例を示す例示図である。
【図７】本発明の実施の形態１に係る複合機において、ＱＲコード画像データを生成し、また生成されたＱＲコード画像データをテスト原稿の画像データに付加する処理の一例を示すフローチャートである。
【図８】コード付き画像データに基づき、画像出力部によって印刷された印刷物の他例を示す例示図である。
【図９】本発明の実施の形態２に係る複合機における、制御部の要部構成を示す機能ブロック図である。
【図１０】ＱＲコードが形成された原稿に対する、本発明の実施の形態２に係る複合機のコピーの処理を示すフローチャートである。
【図１１】本発明の実施の形態３に係る複合機の要部構成を示す機能ブロック図である。
【発明を実施するための形態】
【００２７】
以下、本発明に係る画像形成装置、画像処理方法、及び画像形成方法を、コピー機能、印刷機能等を有する復号機に適用した場合を例に、図面を用いて具体的に説明する。
【００２８】
本発明に係る複合機は、画像形成に係る各種ジョブ（例えば、コピー、印刷、テスト印刷等）を行なう際、当該ジョブに係るパラメータの値の記録を残すように構成されている。すなわち、前記複合機は、当該ジョブに係るパラメータの値を表す２次元コードを、該ジョブにて画像が形成されるその記録用紙に形成することにより、該パラメータの値の記録を残す。
【００２９】
前記２次元コードは印刷物に付加的データを付加する方法として、広く普及されている。例えば、２次元コードの１つであるＱＲコード（登録商標）においては、今では多くの人が持つ携帯電話機にもＱＲコードの読み取り機能が搭載されていることが多く、該ＱＲコードの作成に関しては、携帯電話機の一機能として搭載されている場合もあるうえに、コンピュータのソフトウェアとしても存在している。以下においては、説明の便宜上、２次元コードの一例としてＱＲコードを用いて説明する。
【００３０】
（実施の形態１）
図１は本発明の実施の形態１に係る複合機１の要部構成を示す機能ブロック図である。実施の形態１に係る複合機１は、制御部１００、画像読取部２００、記憶部３００、画像処理部４００、操作パネル５００、通信部６００及び画像出力部７００（画像形成手段）等のハードウェアを備え、全体としてデジタル復号機を構成している。
【００３１】
画像読取部２００は、原稿の画像データの読み取りを光学的に行う。また、画像読取部２００は、読み取り用の原稿に光を照射する光源、例えばＣＣＤ（Charge Coupled Device）のようなイメージセンサ等を有する光学ユニットを備えている。更に、画像読取部２００では、所定の読取り位置にセットされた原稿からの反射光像を当該イメージセンサに結像させ、ＲＧＢ（R : Red, G : Green, B : Blue）のアナログ電気信号を出力する。画像読取部２００が出力したアナログ電気信号は画像処理部４００に入力される。
【００３２】
記憶部３００は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。記憶部３００は、例えば、画像読取部２００によって読み取られた原稿の画像データ、画像出力部７００における画像形成に係るパラメータの値等が記憶されている。
【００３３】
画像処理部４００は、画像読取部２００を通じて入力されるアナログ電気信号を基にデジタル形式の画像データを生成し、又は記憶部３００に記憶されている画像データを読みたし、夫々の画像の種類に応じた処理を施した後、出力用画像データを生成する。
【００３４】
操作パネル５００は、複合機１の重要機能に係る、「コピー」、「印刷」等の機能ボタン、テンキー、受け付けた指示を確定するためのエンターキー等を備えている。また、操作パネル５００は表示部５０１を備えている。
【００３５】
表示部５０１は、例えば、ＬＣＤ又はＥＬ（Electroluminescence）パネル等からなり、画像出力部７００を介して、所定の記録用紙へ出力（印刷）すべき画像が表示される。また、表示部５０１は、複合機１の状態、ジョブ処理の状況、画像読取部２００が読み取った原稿の画像及び操作パネル５００の操作内容の確認等、使用者に対して報知すべき情報を表示する。
【００３６】
また、表示部５０１には後述する選択受付画面が表示される。使用者は該選択受付画面を介して、前記ＱＲコードの付加を実行すべきジョブ、又は前記ＱＲコードを形成すべき記録用紙上の位置を選択することができる。
【００３７】
通信部６００は、画像処理部４００にて処理した後の画像データを外部へ送信するネットワークカード、モデム等を備え、例えば、前記画像データをメールに添付して設定された送信先に送信する。
【００３８】
画像出力部７００は、画像処理部４００から出力される画像データに基づいて記録用紙、ＯＨＰフィルム等のシート上に画像形成を行って出力する。そのため、画像出力部７００は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（図示せず）を備えており、電子写真方式にて使用者が所望する画像をシート上に形成する。なお、レーザ書込装置を用いた電子写真方式により画像形成を行う他、インクジェット方式、熱転写方式、昇華方式等により画像形成を行う構成であってもよい。
【００３９】
図２は本発明の実施の形態１に係る複合機１における、制御部１００の要部構成を示す機能ブロック図である。制御部１００は、ＣＰＵ１０１と、ＲＯＭ１０２と、ＲＡＭ１０３と、ＱＲコード生成部１０４と、位置受付部１０５と、ジョブ受付部１０６と、情報付加部１０７とを備えている。
【００４０】
ＲＯＭ１０２には各種の制御プログラム、演算用のパラメータのうちの基本的に固定のデータ等が予め格納されており、ＲＡＭ１０３はデータを一時的に記憶し、記憶順、記憶位置等に関係なく読み出すことが可能である。また、ＲＡＭ１０３は、例えば、ＲＯＭ１０２から読み出されたプログラム、該プログラムを実行することにより発生する各種データ、該実行の際適宜変化するパラメータ等を記憶する。
【００４１】
ＣＰＵ１０１は、ＲＯＭ１０２に予め格納されている制御プログラムをＲＡＭ１０３上にロードして実行することによって、上述した各種ハードウェアの制御を行ない、装置全体を本発明の複合機１として動作させる。  
【００４２】
ＱＲコード生成部１０４は、画像読取部２００が読み取った原稿の画像データに基づく印刷ジョブ（以下、コピージョブと言う。）、通信部６００を介して外部（例えば、ＰＣ）から受信したデータに基づく印刷ジョブ（以下、出力ジョブと言う）、画質に係るパラメータを調整した後のテスト印刷ジョブ（以下、テスト出力ジョブと言う。）等、所定の画像を印刷する際、当該画質（又は印刷）に係るパラメータの値に基づき、原稿の画像データ（以下、原稿画像データと言う。）に付加すべきＱＲコードの画像データ（以下、ＱＲコード画像データと言う。）を生成する。このようなＱＲコード画像データの生成方法は公知技術であり、詳しい説明は省略する。
【００４３】
ここで、前記パラメータとしては、キャリブレーション（例えば、画質、濃度等）、ボイト（例えば、イメージロス、印字ボイド等）、印字開始位置等の調整に係るパラメータが挙げられる。
【００４４】
図３は本発明の実施の形態１に係る複合機１において、表示部５０１に表示される選択受付画面の一例を示す例示図である。図３に示す選択受付画面には、ＱＲコードを印刷するジョブの選択を受け付けるための「コピー時」ソフトキー、「印刷時」ソフトキー、「画質調整時」ソフトキーが設けられており、使用者は何れかのソフトキーを操作してジョブを選択することができる。ここで、「コピー時」、「印刷時」及び「画質調整時」は夫々、コピージョブ、出力ジョブ及びテスト出力ジョブの場合を示す。
【００４５】
また、図３に示す選択受付画面には、ＱＲコードの印刷位置の選択を受け付けるための「表面」ソフトキー及び「裏面」ソフトキーが設けられており、使用者は何れかのソフトキーを操作して印刷位置を選択することができる。ここで「表面」及び「裏面」は、夫々当該記録用紙の表面及び裏面を示す。
【００４６】
位置受付部１０５は、前記選択受付画面を介して、当該記録用紙上における、前記ＱＲコードを形成すべき位置の選択を使用者から受け付ける。すなわち、使用者は操作パネル５００を適宜操作して、前記選択受付画面の「表面」ソフトキー及び「裏面」ソフトキーの何れかを操作し、この際、位置受付部１０５は操作されたソフトキーが選択されたものとしてみなし、該選択に係るソフトキーに対応する位置を、前記ＱＲコードを形成すべき位置として受け付ける。位置受付部１０５が受け付けた選択に係る位置は、記憶部３００に記憶される。
【００４７】
ジョブ受付部１０６は、前記選択受付画面を介して、前記ＱＲコードの印刷を行なうべきジョブの選択を使用者から受け付ける。すなわち、使用者は操作パネル５００を適宜操作して、前記選択受付画面の「コピー時」ソフトキー、「印刷時」ソフトキー、「画質調整時」ソフトキーの何れかを操作し、この際、ジョブ受付部１０６は操作されたソフトキーが選択されたものとしてみなし、該選択に係るソフトキーに対応するジョブを、前記ＱＲコードを印刷すべきジョブとして受け付ける。ジョブ受付部１０６が受け付けた選択に係るジョブは、記憶部３００に記憶される。
【００４８】
情報付加部１０７は、前記コピージョブ、出力ジョブ及びテスト出力ジョブの際、印刷すべき原稿画像データに、ＱＲコード生成部１０４によって生成されたＱＲコード画像データを付加して合成する。以降、ＱＲコード画像データ及び原稿画像データが合成された画像データ（以下、コード付き画像データと言う。）に基づいて、印刷に係るジョブが行なわれる。
【００４９】
以下、本発明の実施の形態１に係る複合機１において、画像読取部２００から読み取った原稿画像データに、ＱＲコード画像データを生成して付加し、コード付き画像データを生成する処理について、詳細に説明する。
【００５０】
図４は本発明の実施の形態１に係る複合機１において、前記ＱＲコード画像データを生成し、また生成されたＱＲコード画像データを原稿画像データに付加する処理の一例を示すフローチャートである。説明の便宜上、使用者が複合機１を用いて所定原稿のコピージョブを行なうものとする。
【００５１】
また、以下の説明は、前記選択受付画面を介して、位置受付部１０５が‘表面’の選択を受け付け、ジョブ受付部１０６が‘コピー時’の選択を受け付けた場合を例として説明する。換言すれば、記憶部３００には、前記ＱＲコードを形成すべき位置として‘表面’が記憶されており、前記ＱＲコードの印刷を行なうべきジョブとして‘コピージョブ’が記憶されている。
【００５２】
使用者は所定原稿を画像読取部２００の原稿台（図示せず）上に載置しておき、操作パネル５００を適宜操作し、前記原稿のコピーを指示する。斯かる際、ＣＰＵ１０１は操作パネル５００を介して使用者からコピージョブの指示を受け付ける（ステップＳ１０１）。
【００５３】
使用者からコピージョブの指示を受け付けたＣＰＵ１０１は、画像読取部２００に前記原稿の読み取りを指示する。画像読取部２００はＣＰＵ１０１の指示に応じて原稿台に載置された原稿の画像を読み取る（ステップＳ１０２）。画像読取部２００によって読み取られた原稿画像データはＲＡＭ１０３に一時記憶される。
【００５４】
次いで、ＣＰＵ１０１はステップＳ１０１にて受け付けた指示に係るジョブが前記ＱＲコードの印刷を行なうべきジョブであるか否かを判定する（ステップＳ１０３）。斯かる判定は、ＣＰＵ１０１が記憶部３００に記憶されている内容と、受け付けた指示に係るジョブとを比較することにより行なわれる。
【００５５】
例えば、ＣＰＵ１０１がステップＳ１０１にて受け付けた指示に係るジョブを前記ＱＲコードの印刷を行なうべきジョブでないと判定した場合（ステップＳ１０３：ＮＯ）、処理はステップＳ１０７に進む。
【００５６】
一方、本実施例においては、記憶部３００に前記ＱＲコードの印刷を行なうべきジョブとして‘コピージョブ’が記憶されているので、ＣＰＵ１０１はステップＳ１０１にて受け付けた指示に係るジョブを前記ＱＲコードの印刷を行なうべきジョブであると判定する（ステップＳ１０３：ＹＥＳ）。
【００５７】
この際、ＱＲコード生成部１０４は、今現時点で記憶部３００に記憶されている画質（又は印刷）に係るパラメータの値に基づき、原稿画像データに付加すべきＱＲコード画像データを生成する（ステップＳ１０４）。
【００５８】
次いで、ＣＰＵ１０１は、記憶部３００に記憶されている前記ＱＲコードを形成すべき位置に基づき、ＱＲコード画像データを形成すべき位置を指定する（ステップＳ１０５）。本実施例においては、前記ＱＲコードを形成すべき位置として‘表面’が記憶部３００に記憶されているので、ＣＰＵ１０１は‘表面’を指定する。
【００５９】
ＣＰＵ１０１によって指定された形成すべき位置に基づき、情報付加部１０７は前記原稿画像データに、ＱＲコード生成部１０４によって生成されたＱＲコード画像データを付加して合成する。すなわち、情報付加部１０７は、印刷の際、ＱＲコードが記録用紙の表面に印刷されるように、ＱＲコード画像データを前記原稿画像データに付加する（ステップＳ１０６）。
これまでの処理によって、当該ジョブに係るコード付き画像データが作成される。
【００６０】
なお、表面（又は裏面）における詳細な位置に対しては、デフォルトとして予め定めておいてもよく、前記選択受付画面を介して使用者から指定を受け付けるように構成しても良い。
【００６１】
次いで、ＣＰＵ１０１は、画像出力部７００に指示し、前記コード付き画像データに基づく画像の記録用紙への印刷を行う（ステップＳ１０７）。ＣＰＵ１０１の指示に応じて、画像出力部７００は前記コード付き画像データに基づく画像の印刷を行う。
【００６２】
図５はコード付き画像データに基づき、画像出力部７００によって印刷された印刷物の一例を示す例示図である。画像出力部７００によって印刷された印刷物には、ヘッダーの右端の位置に、該印刷物の画質（又は印刷）に係るパラメータの値を表すＱＲコードが形成されている。
【００６３】
図６はコード付き画像データに基づき、画像出力部７００によって印刷された印刷物の他例を示す例示図である。図６は、ＱＲコードを形成すべき位置として‘裏面’が選択された場合における、印刷物を例示している。図６に示す印刷物では、表面にコンテンツが表示され、裏面にＱＲコードが形成されている。
【００６４】
図７は本発明の実施の形態１に係る複合機１において、前記ＱＲコード画像データを生成し、また生成されたＱＲコード画像データをテスト原稿の画像データに付加する処理の一例を示すフローチャートである。説明の便宜上、使用者が画質のパラメータの値を調整した後、前記テスト出力ジョブを行なうものとする。
【００６５】
また、以下の説明は、前記選択受付画面を介して、位置受付部１０５が‘表面’の選択を受け付け、ジョブ受付部１０６が‘画質調整時’の選択を受け付けた場合を例として説明する。換言すれば、記憶部３００には、前記ＱＲコードを形成すべき位置として‘表面’が記憶されており、前記ＱＲコードの印刷を行なうべきジョブとして‘テスト出力ジョブ’が記憶されている。
【００６６】
使用者は操作パネル５００を用いて自動又は手動にて画質のパラメータの値を調整する。パラメータの値の調整を終えた使用者は、操作パネル５００を適宜操作してパラメータ調整後のテスト印刷（テスト出力ジョブ）を指示する。斯かる際、ＣＰＵ１０１は操作パネル５００を介して使用者からテスト出力ジョブの指示を受け付ける（ステップＳ２０１）。
【００６７】
使用者からテスト出力ジョブの指示を受け付けたＣＰＵ１０１は、テスト原稿を作成する（ステップＳ２０２）。該テスト原稿は、使用者によって調整された画質のパラメータの値（以下、調整後パラメータ値と言う。）が反映されたものであり、例えば、各色のグラデーションを表示したものである。この際、記憶部３００に記憶されていたパラメータは該調整後パラメータ値に更新されている。
【００６８】
次いで、ＣＰＵ１０１はステップＳ２０１にて受け付けた指示に係るジョブが前記ＱＲコードの印刷を行なうべきジョブであるか否かを判定する（ステップＳ２０３）。
【００６９】
例えば、ＣＰＵ１０１がステップＳ２０１にて受け付けた指示に係るジョブを前記ＱＲコードの印刷を行なうべきジョブでないと判定した場合（ステップＳ２０３：ＮＯ）、処理はステップＳ２０７に進む。
【００７０】
一方、本実施例においては、記憶部３００に前記ＱＲコードの印刷を行なうべきジョブとして‘テスト出力ジョブ’が記憶されているので、ＣＰＵ１０１はステップＳ２０１にて受け付けた指示に係るジョブを前記ＱＲコードの印刷を行なうべきジョブであると判定する（ステップＳ２０３：ＹＥＳ）。
【００７１】
この際、ＱＲコード生成部１０４は、今現時点で記憶部３００に記憶されている画質（又は印刷）に係るパラメータの値、すなわち前記調整後パラメータ値に基づき、原稿画像データに付加すべきＱＲコード画像データを生成する（ステップＳ２０４）。
【００７２】
次いで、ＣＰＵ１０１は、記憶部３００に記憶されている前記ＱＲコードを形成すべき位置に基づき、ＱＲコード画像データを形成すべき位置を指定する（ステップＳ２０５）。本実施例においては、記憶部３００に前記ＱＲコードを形成すべき位置として‘表面’が記憶されているので、ＣＰＵ１０１は‘表面’を指定する。
【００７３】
ＣＰＵ１０１によって指定された形成すべき位置に基づき、情報付加部１０７は前記テスト原稿の画像データに、ＱＲコード生成部１０４によって生成されたＱＲコード画像データを付加して合成する（ステップＳ２０６）。
これまでの処理によって、当該ジョブに係るコード付き画像データが作成される。
【００７４】
ＣＰＵ１０１は、画像出力部７００に指示し、前記コード付き画像データに基づく画像の記録用紙への印刷を行う（ステップＳ２０７）。ＣＰＵ１０１の指示に応じて、画像出力部７００は前記コード付き画像データに基づく画像の印刷を行う。
【００７５】
図８はコード付き画像データに基づき、画像出力部７００によって印刷された印刷物の他例を示す例示図である。画像出力部７００によって印刷された印刷物には、ヘッダーの左端の位置に、該テスト原稿の画質（又は印刷）に係るパラメータの値を表すＱＲコードが形成されている。
【００７６】
なお、上述したＱＲコード生成部１０４、位置受付部１０５、ジョブ受付部１０６及び情報付加部１０７は、ハードウェアロジックによって構成してもよいし、ＣＰＵ１０１が所定のプログラムを実行することにより、ソフトウェア的に構築されてもよい。
【００７７】
（実施の形態２）
本発明の実施の形態２に係る複合機１は、実施の形態１に係る複合機１と同様、制御部１００、画像読取部２００、記憶部３００、画像処理部４００、操作パネル５００、通信部６００及び画像出力部７００等のハードウェアを備えている。
【００７８】
図９は本発明の実施の形態２に係る複合機１における、制御部１００の要部構成を示す機能ブロック図である。実施の形態２に係る複合機１の制御部１００は、実施の形態１と同様に、ＣＰＵ１０１と、ＲＯＭ１０２と、ＲＡＭ１０３とを備えており、ＱＲコード画像データ取得部１０８と、抽出部１０９（抽出手段）と、更新部１１０とを更に備えている。
【００７９】
ＱＲコード画像データ取得部１０８は、画像読取部２００によって読み取られた原稿画像データからＱＲコードの画像データを取得する。より詳しくは、ＱＲコード画像データ取得部１０８は、ＱＲコードの切り出しシンボルに基づいて、当該原稿画像データにおける前記ＱＲコードの位置を特定し、ＱＲコード画像データを取得することが出来る。
【００８０】
抽出部１０９は、ＱＲコード画像データ取得部１０８によって取得されたＱＲコード画像データから、ＱＲコード化された画質（又は印刷）に係るパラメータの値を読み出して抽出する。
【００８１】
更新部１１０は、抽出部１０９によって抽出されたパラメータの値に基づいて、記憶部３００に既に記憶されているパラメータの値を更新する。
【００８２】
以下、実施の形態１に係る複合機１によって印刷された、すなわち前記ＱＲコードが形成された原稿を、本実施の形態２に係る複合機１を用いて取り扱う場合について説明する。説明の便宜上、実施の形態１に係る複合機１によって印刷された原稿を所定の使用者がコピーする場合を例として説明する。
【００８３】
図１０は前記ＱＲコードが形成された原稿に対する、本発明の実施の形態２に係る複合機１のコピーの処理を示すフローチャートである。
【００８４】
前記ＱＲコードが形成された原稿のコピーを試みる使用者は、該原稿を画像読取部２００の原稿台上に載置しておき、操作パネル５００を適宜操作して、前記原稿のコピーを指示する。
【００８５】
この際、制御部１００のＣＰＵ１０１は、操作パネル５００を介して、使用者からコピージョブの指示を受け付ける（ステップＳ３０１）。
【００８６】
次いでＣＰＵ１０１は、前記原稿の画像の読み取りを画像読取部２００に指示する。ＣＰＵ１０１の指示に応じて画像読取部２００は前記原稿台に載置された原稿の画像を読み取る（ステップＳ３０２）。これによって原稿画像データが取得される。
【００８７】
ＣＰＵ１０１は、ＱＲコード画像データ取得部１０８に指示し、取得された原稿画像データからＱＲコード画像データを取得する（ステップＳ３０３）。ＣＰＵ１０１の指示に応じて、ＱＲコード画像データ取得部１０８は、前記ＱＲコードの切り出しシンボルに基づいてＱＲコードの位置を特定し、前記原稿画像データから前記ＱＲコード画像データを取得する。
【００８８】
その後、抽出部１０９はＱＲコード画像データ取得部１０８によって取得されたＱＲコード画像データから、ＱＲコード化されたパラメータの値を抽出する（ステップＳ３０４）。
【００８９】
次いで、更新部１１０は、抽出部１０９によって抽出されたパラメータの値に合わせて、記憶部３００に既に記憶されているパラメータの値を更新する（ステップＳ３０５）。
【００９０】
以降、ＣＰＵ１０１は、画像出力部７００に、画像読取部２００によって読み取られた原稿画像データに基づく印刷を指示する。ＣＰＵ１０１の指示に応じて、画像出力部７００は、更新部１１０によって更新された更新後のパラメータ値に基づいて、当該印刷を行なう（ステップＳ３０６）。
【００９１】
なお、上述したＱＲコード画像データ取得部１０８、抽出部１０９及び更新部１１０は、ハードウェアロジックによって構成してもよいし、ＣＰＵ１０１が所定のプログラムを実行することにより、ソフトウェア的に構築されてもよい。
【００９２】
実施の形態１と同様の部分については、同一の符号を付して詳細な説明を省略する。
【００９３】
以上の記載においては、２次元コードの一例として、マトリックス型２次元コードたるＱＲコードを例として説明したが、これに限るものでなく、スタック型２次元コードであっても良く、バーコードであっても良い。
【００９４】
以上の記載は、本発明に係る複合機１を使用者が直接操作する場合を例として説明したがこれに限るものでない。例えば、本発明の実施の形態１に係る複合機１がＰＣ、ＰＤＡ等の電気機器と接続され、これら電気機器を介して操作される場合においても適用可能であることは言うまでもない。
【００９５】
（実施の形態３）
図１１は本発明の実施の形態３に係る複合機１の要部構成を示す機能ブロック図である。実施の形態３に係る複合機１は、動作を行うためのコンピュータプログラムが、外部記録媒体Ｉ／Ｆ８００を介してＣＤ−ＲＯＭ等の可搬型記録媒体Ａで提供することも可能であるように構成されている。さらに、実施の形態３に係る複合機１は、前記コンピュータプログラムを、外部装置から通信部６００を介してダウンロードすることも可能であるように構成されている。以下に、その内容を説明する。
【００９６】
実施の形態３に係る複合機１は外装（又は内装）の記録媒体読み取り装置（図示せず）を備えており、該記録媒体読み取り装置に、画像形成に係るパラメータの値を表す２次元コードを形成するコード画像データを生成させ、該コード画像データを画像形成すべき画像データに付させるプログラム等が記録された可搬型記録媒体Ａを挿入して、例えば、ＣＰＵ１０１がＲＯＭ１０２にこのプログラムをインストールする。斯かるプログラムはＲＡＭ１０３にロードして実行される。これにより、本発明の実施の形態１に係る複合機１として機能する。
【００９７】
また、実施の形態３に係る複合機１は前記記録媒体読み取り装置に、２次元コードの画像データからパラメータの値を示す値情報を抽出させ、抽出された値情報を用いて、原稿の画像データに基づく画像形成を行なわせるプログラム等が記録された可搬型記録媒体Ａを挿入して、例えば、ＣＰＵ１０１がＲＯＭ１０２にこのプログラムをインストールする。斯かるプログラムはＲＡＭ１０３にロードして実行される。これにより、本発明の実施の形態２に係る複合機１として機能する。
【００９８】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【００９９】
通信部６００を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【０１００】
実施の形態１と同様の部分については、同一の符号を付して詳細な説明を省略する。
【符号の説明】
【０１０１】
１  複合機（画像形成措置）
１０１  ＣＰＵ
１０４  ＱＲコード生成部
１０５  位置受付部
１０６  ジョブ受付部
１０７  情報付加部
１０８  ＱＲコード画像データ取得部
１０９  抽出部
１１０  更新部
２００  画像読取部  
７００  画像出力部
【図１】
2013223147.tif 000003
【図２】
2013223147.tif 000004
【図３】
2013223147.tif 000005
【図４】
2013223147.tif 000006
【図５】
2013223147.tif 000007
【図６】
2013223147.tif 000008
【図７】
2013223147.tif 000009
【図９】
2013223147.tif 000010
【図１０】
2013223147.tif 000011
【図１１】
2013223147.tif 000012
【図８】
2013223147.tif 000013